Podtech/llm-jp-corpus-v4-ja_patent huggingface dataset:
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
周囲に複数の図柄が付された複数の回胴と、
複数の回胴の回転を開始させるためのスタートスイッチと、
複数の回胴の回転を停止させるためのストップスイッチと、
予め貯留した遊技媒体を内部投入することが可能なベットスイッチと、
遊技を制御する制御装置と、
前記遊技に関する演出を制御する演出制御装置と、
を具備し、
前記遊技を開始可能な状態で、スタートスイッチの操作の受け付けを条件として複数の回胴の回転を開始させ、複数の役のいずれかに当選か又はハズレかの役抽選を行い、その抽選の結果及びストップスイッチの操作に基づいて対応する回胴の回転を停止させ、全ての回胴が停止して、当選した役に係る図柄の組み合わせが揃ったか否かの判定を行い、その判定の結果に応じて所定の利益を遊技者に付与する又は付与しないことで１回の遊技が終了するようにした遊技機において、
前記遊技には、通常遊技と、該通常遊技より有利な特別遊技があり、
遊技機本体の前面側には、複数の操作ボタンが設けられており、
前記複数の操作ボタンは、左操作ボタン及び右操作ボタンを含み、
前記演出制御装置は、前記特別遊技の当選判定結果の報知を行う場合、前記左操作ボタン及び前記右操作ボタンを発光させ、該左右の操作ボタンが操作されなければ所定時間の経過で当否を報知する一方、該所定時間が経過するまでに、該左右の操作ボタンが同時に長押しされると、今までの計測時間がリセットされ再び該所定時間が計時されて、該所定時間が経過後に該特別遊技の当否を報知すること、
を特徴とする遊技機。
【手続補正２】
【補正対象書類名】明細書
【補正対象項目名】００１９
【補正方法】変更
【補正の内容】
【００１９】
請求項１に係る本発明の遊技機は、上記の目的を達成する為に、周囲に複数の図柄が付された複数の回胴と、複数の回胴の回転を開始させるためのスタートスイッチと、複数の回胴の回転を停止させるためのストップスイッチと、予め貯留した遊技媒体を内部投入することが可能なベットスイッチと、遊技を制御する制御装置と、前記遊技に関する演出を制御する演出制御装置と、を具備し、前記遊技を開始可能な状態で、スタートスイッチの操作の受け付けを条件として複数の回胴の回転を開始させ、複数の役のいずれかに当選か又はハズレかの役抽選を行い、その抽選の結果及びストップスイッチの操作に基づいて対応する回胴の回転を停止させ、全ての回胴が停止して、当選した役に係る図柄の組み合わせが揃ったか否かの判定を行い、その判定の結果に応じて所定の利益を遊技者に付与する又は付与しないことで１回の遊技が終了するようにした遊技機において、前記遊技には、通常遊技と、該通常遊技より有利な特別遊技があり、遊技機本体の前面側には、複数の操作ボタンが設けられており、前記複数の操作ボタンは、左操作ボタン及び右操作ボタンを含み、前記演出制御装置は、前記特別遊技の当選判定結果の報知を行う場合、前記左操作ボタン及び前記右操作ボタンを発光させ、該左右の操作ボタンが操作されなければ所定時間の経過で当否を報知する一方、該所定時間が経過するまでに、該左右の操作ボタンが同時に長押しされると、今までの計測時間がリセットされ再び該所定時間が計時されて、該所定時間が経過後に該特別遊技の当否を報知することを特徴とする。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
開口部を上方に向けた状態で保持される容器部と、
穿刺孔部が設けられた第１部材と、
前記穿刺孔部に対向した状態で採血対象を固定する固定部と、
前記採血対象を加圧し、または前記採血対象と前記容器部に囲まれる空間内を負圧にし、またはその組み合せである圧力変動部と、
前記第１部材の下方に位置付けられ、前記圧力変動部により圧力が変動された後に前記穿刺孔部から前記採血対象を穿刺する穿刺部と、を有し、
前記容器部及び前記穿刺部はそれぞれ採血毎に取り換え可能とされる採血装置。
【請求項２】
請求項１記載の採血装置において、
前記第１部材は、前記容器部を水平方向にスライドするスライド機構を有する採血装置。
【請求項３】
請求項１記載の採血装置において、
前記圧力変動部は、空圧で前記採血対象を加圧する圧迫体であって、
前記圧迫体で前記採血対象を加圧しながら血圧を測定する血圧計を備える採血装置。
【請求項４】
請求項３記載の採血装置において、
前記血圧計により得られる血圧が、最低血圧以上かつ最高血圧以下となるように前記採血対象を加圧する加圧源を備える採血装置。
【請求項５】
請求項１記載の採血装置において、
採血後の前記採血対象を保護するカバーを有する採血装置。
【請求項６】
請求項１記載の採血装置において、
前記第１部材、前記固定部および前記穿刺部はいずれも分離可能に構成されている採血装置。
【請求項７】
請求項１記載の採血装置において、
前記容器部内に貯留された血液の状態を確認する確認手段を備えた採血装置。
【請求項８】
少なくとも一つの貫通孔を有する上側ディスクと、
前記上側ディスクの下方に位置付けられ、前記上側ディスクと独立して回転可能な下側ディスクと、
前記貫通孔に押しつけられた採血対象の周囲環境を負圧にする負圧源と、
前記下側ディスクに固定され、前記負圧源により圧力が変動された後に前記採血対象を穿刺する穿刺部と、
開口部を上方に向けた状態で前記下側ディスクに固定された容器部と、を有する採血装置。
【請求項９】
請求項８記載の採血装置において、
前記容器部および前記穿刺部は、前記下側ディスクに対して着脱可能に固定されている、採血装置。
【請求項１０】
開口部を上方に向けた状態で保持する容器部と、
前記容器部の開口部の上方に位置付けられ、採血対象を穿刺する穿刺孔を有する穿刺部と、を有する採血装置であって、
前記穿刺部は、前記採血対象を穿刺する穿刺針、前記穿刺針の軸上に設けられた貫通孔付きリブ、前記リブに一端が接続された第一のバネ、前記リブと前記穿刺部の筺体とを接続する第二のバネ、前記リブの移動を制限する制限部材を有し、
前記穿刺部と前記容器部は着脱可能に接続する着脱部を有し、
前記着脱部に前記容器部を装着することにより生じる前記第一のバネの反発力により、前記穿刺針が前記穿刺孔へと移動する、採血装置。
【請求項１１】
請求項１記載の採血装置において、
前記容器部は、前記穿刺部が前記採血対象を穿刺した後に、前記容器部の前記開口部が前記第１部材の前記穿刺孔部と重なる位置に移動可能とされる採血装置。
【請求項１２】
請求項１記載の採血装置において、
血液を収容した前記容器部の前記開口部を閉鎖する蓋を有する採血装置。
【請求項１３】
請求項１記載の採血装置において、
前記容器部及び前記穿刺部を保持する第２部材を有する採血装置。
【請求項１４】
請求項１３記載の採血装置において、
前記第２部材を動かすことにより、前記容器部の前記開口部または前記穿刺部が前記第１部材の前記穿刺孔部と重なる位置に移動可能とされる採血装置。
【請求項１５】
請求項１〜１４のいずれか１項に記載の採血装置において、
前記容器部の少なくとも一部に透明窓を有する採血装置。
【手続補正２】
【補正対象書類名】明細書
【補正対象項目名】０００７
【補正方法】変更
【補正の内容】
【０００７】
上記課題を解決するために、代表的な本発明の採血装置の一つは、開口部を上方に向けた状態で保持される容器部と、穿刺孔部が設けられた第１部材と、前記穿刺孔部に対向した状態で採血対象を固定する固定部と、前記採血対象を加圧し、または前記採血対象と前記容器部に囲まれる空間内を負圧にし、またはその組み合せである圧力変動部と、前記第１部材の下方に位置付けられ、前記圧力変動部により圧力が変動された後に前記穿刺孔部から前記採血対象を穿刺する穿刺部と、を有し、前記容器部及び前記穿刺部はそれぞれ採血毎に取り換え可能とされることにより達成される。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
薬品ごとに対応する一又は複数のコード情報を記憶する第１薬品記憶部を備える薬品払出装置と、薬品ごとに対応する一又は複数のコード情報を記憶する第２薬品記憶部にアクセス可能な薬品払出指示端末とを備える実装薬品管理システムであって、
前記薬品払出装置が、処理対象の前記コード情報が前記第１薬品記憶部に記憶されていない場合は、前記コード情報に対応する薬品情報を前記薬品払出指示端末に要求し、
前記薬品払出指示端末が、前記薬品払出装置からの要求に応じて、前記第２薬品記憶部に記憶されている前記コード情報に基づいて当該コード情報に対応する前記薬品情報を前記薬品払出装置に送信する、
実装薬品管理システム。
【請求項２】
前記第２薬品記憶部において一の薬品について記憶可能な前記コード情報の数が、前記第１薬品記憶部において一の薬品について記憶可能な前記コード情報の上限数より多い、
請求項１に記載の実装薬品管理システム。
【請求項３】
前記薬品払出指示端末が、前記薬品払出装置から前記コード情報に対応する前記薬品情報の要求を受信した場合に、前記第２薬品記憶部における当該コード情報の優先順位を最も高く設定し、他の前記コード情報の優先順位を繰り下げ、
前記薬品払出指示端末が、前記第２薬品記憶部において前記薬品情報に対応付けて記憶されている前記コード情報のうち前記優先順位が前記上限数に対応する順位以上である前記コード情報を前記薬品払出装置に送信し、
前記薬品払出装置が、前記薬品払出指示端末から受信する前記上限数に対応する数の前記コード情報を前記薬品情報に対応するコード情報として前記第１薬品記憶部に記憶させる、
請求項２に記載の実装薬品管理システム。
【請求項４】
前記薬品払出装置が、前記薬品払出指示端末から前記コード情報に対応する前記薬品情報を受信した場合であって、前記第１薬品記憶部において前記薬品情報に対応する前記コード情報の数が前記上限数に達している場合は、前記第１薬品記憶部において前記薬品情報に対応して記憶されている任意の前記コード情報を削除し、前記薬品払出指示端末から受信した前記薬品情報に対応する前記コード情報を前記第１薬品記憶部に記憶させる、
請求項２に記載の実装薬品管理システム。
【請求項５】
前記第１薬品記憶部において一の薬品について記憶される複数の前記コード情報に優先順位が設定可能であり、
前記薬品払出装置が、前記薬品払出指示端末から前記コード情報に対応する前記薬品情報を受信した場合であって、前記第１薬品記憶部において前記薬品情報に対応する前記コード情報の数が前記上限数に達している場合は、前記第１薬品記憶部において前記薬品情報に対応して記憶されている前記コード情報のうち最も前記優先順位が低いコード情報を削除し、前記薬品払出指示端末から受信した前記薬品情報に対応する前記コード情報を前記第１薬品記憶部に記憶させる、
請求項４に記載の実装薬品管理システム。
【請求項６】
前記薬品払出装置が、前記薬品払出指示端末から受信した前記薬品情報に対応する前記コード情報の前記優先順位を最も高く設定し、他の前記コード情報の前記優先順位を繰り下げる、
請求項５に記載の実装薬品管理システム。
【請求項７】
前記薬品払出指示端末が、前記第２薬品記憶部を備える、
請求項１〜６のいずれかに記載の実装薬品管理システム。
【請求項８】
薬品ごとに対応する一又は複数のコード情報を記憶する第１薬品記憶部と、
処理対象の前記コード情報が前記第１薬品記憶部に記憶されていない場合は、前記コード情報に対応する薬品情報を、薬品ごとに対応する一又は複数のコード情報を記憶する第２薬品記憶部にアクセス可能な薬品払出指示端末に要求し、前記薬品払出指示端末から前記コード情報に対応する薬品情報を受信する第１制御部と、
を備える、
薬品払出装置。
【請求項９】
薬品ごとに対応する一又は複数のコード情報を記憶する第１薬品記憶部を備える薬品払出装置からの前記コード情報に対応する薬品情報の要求に応じて、薬品ごとに対応する一又は複数のコード情報を記憶する第２薬品記憶部に記憶されている前記コード情報に基づいて当該コード情報に対応する前記薬品情報を前記薬品払出装置に送信する第２制御部を備え、
前記第２薬品記憶部において一の薬品について記憶可能な前記コード情報の数が、前記第１薬品記憶部において一の薬品について記憶可能な前記コード情報の上限数より多く、
前記第２制御部は、
前記薬品払出装置から前記コード情報に対応する前記薬品情報の要求を受信した場合に、前記第２薬品記憶部における当該コード情報の優先順位を最も高く設定し、他の前記コード情報の優先順位を繰り下げ、
前記第２薬品記憶部において前記薬品情報に対応付けて記憶されている前記コード情報のうち前記優先順位が前記上限数に対応する順位以上である前記コード情報を前記薬品払出装置に送信する、
薬品払出指示端末。
【請求項１０】
請求項８に記載の薬品払出装置と、請求項９に記載の薬品払出指示端末と、を備える、
実装薬品管理システム。
【手続補正２】
【補正対象書類名】明細書
【補正対象項目名】００２１
【補正方法】変更
【補正の内容】
【００２１】
ここに、図２は、第２薬品マスタ１２１のメンテナンス画面（編集画面）の一例を示す
図であり、図４は、第２薬品マスタ１２１における一つの薬品に対応するレコードのデー
タ構造の一例を示す図である。図２及び図４に示されるように、第２薬品マスタ１２１で
は、一つの薬品について、薬品コード及び薬品名などの基本情報の他に、複数のコード情
報（ＪＡＮ／ＧＳ１コード）、入り数、及び優先順位が対応付けて記憶可能である。さら
に、第１薬品マスタ１１１と第２薬品マスタ１２１において、１薬品に対し記憶できる前
記コード情報の数はＸ＜Ｙとする。また、第２薬品マスタ１２１に記憶可能な前記コード
情報の数は制限がなくてもよい。従って、第２薬品マスタ１２１は、第１薬品マスタ１１
１と同様のデータ構造であるが、一薬品について記憶可能な前記コード情報の数が第１薬
品マスタ１１１よりも多い点で第１薬品マスタ１１１と異なる。
【手続補正書】
【提出日】平成31年2月13日(2019.2.13)
【手続補正１】
【補正対象書類名】明細書
【補正対象項目名】発明の名称
【補正方法】変更
【補正の内容】
【発明の名称】キャビネット及び磁気共鳴イメージング装置
【手続補正２】
【補正対象書類名】明細書
【補正対象項目名】０００１
【補正方法】変更
【補正の内容】
【０００１】
本発明の実施形態は、キャビネット及び磁気共鳴イメージング装置に関する。
【手続補正３】
【補正対象書類名】明細書
【補正対象項目名】０００４
【補正方法】変更
【補正の内容】
【０００４】
本発明が解決しようとする課題は、可搬性及び据付け性に優れたキャビネット及び磁気共鳴イメージング装置を提供することである。
【手続補正４】
【補正対象書類名】明細書
【補正対象項目名】０００５
【補正方法】変更
【補正の内容】
【０００５】
実施形態に係るキャビネットは、磁気共鳴イメージング（Magnetic  Resonance  Imaging：ＭＲＩ）装置を構成する機器を搭載するキャビネットであって、複数の筐体と、連結部とを備える。前記複数の筐体は、前記機器を収める。前記連結部は、前記複数の筐体をヒンジで連結し、前記複数の筐体の折り畳み及び展開が可能なようにする。前記筐体は、電波シールドを構成する。
【手続補正５】
【補正対象書類名】特許請求の範囲
【補正対象項目名】全文
【補正方法】変更
【補正の内容】
【特許請求の範囲】
【請求項１】
磁気共鳴イメージング装置を構成する機器を搭載するキャビネットであって、
前記機器を収める複数の筐体と、
前記複数の筐体をヒンジで連結し、前記複数の筐体の折り畳み及び展開が可能なようにする連結部とを備え、
前記筐体は、電波シールドを構成する、
キャビネット。
【請求項２】
前記筐体は前記磁気共鳴イメージング装置の静磁場磁石が設けられた撮影室を構成する壁の少なくとも一部を構成し、
前記電波シールドは、前記複数の筐体を展開した場合に、前記撮影室内の空間を囲むように配置される、
請求項１に記載のキャビネット。
【請求項３】
前記磁気共鳴イメージング装置は複数の機器を有し、
前記複数の筐体を展開した場合に、前記複数の筐体をまたがって、前記複数の機器間を電気的に接続する導線を収容する空間が前記複数の筐体の間に形成されるように構成される、
請求項１に記載のキャビネット。
【請求項４】
複数の機器を有する磁気共鳴イメージング装置であって、
前記複数の機器を複数の筐体に分けて収めるキャビネットを備え、
前記キャビネットは、前記複数の筐体をヒンジで連結し、前記複数の筐体の折り畳みおよび展開が可能なようにする連結部を有し、
前記複数の機器間は、前記複数の筐体が折り畳まれた状態で、前記複数の筐体をまたがって、電気的に接続する導線によって接続される、
磁気共鳴イメージング装置。
【請求項５】
前記筐体は、磁気シールドを構成する、
請求項４に記載の磁気共鳴イメージング装置。
【請求項６】
前記筐体は、前記磁気シールドとなるシールド部材を保持する保持構造を有する、
請求項５に記載の磁気共鳴イメージング装置。
【請求項７】
前記キャビネットは、前記複数の筐体の間に架設され、各筐体に搭載された構成機器を冷却する冷媒を流通させる冷却管をさらに有する、
請求項４〜６のいずれか一つに記載の磁気共鳴イメージング装置。
【請求項８】
前記キャビネットは、前記複数の筐体を開いた際に、各筐体の間に前記導線を収容する空間が形成されるように構成される、
請求項４〜６のいずれか一つに記載の磁気共鳴イメージング装置。
【請求項９】
前記キャビネットは、前記複数の筐体を開いた際に、各筐体の間に前記冷却管を収容する空間が形成されるように構成される、
請求項７に記載の磁気共鳴イメージング装置。
【請求項１０】
前記筐体は、前記機器を取り出し可能に支持する支持機構を有する、
請求項４〜９のいずれか一つに記載の磁気共鳴イメージング装置。
【請求項１１】
前記キャビネットは、前記複数の筐体を開いた際に、各筐体の間に電波シールドが形成されるように構成される
請求項４〜１０のいずれか一つに記載の磁気共鳴イメージング装置。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
薬剤の識別情報を認識する薬剤認識装置において、
前記薬剤を載置する薬剤載置部と、
前記薬剤載置部に載置された薬剤を撮影する撮影部と、
前記撮影部で撮影された薬剤の画像に基づいて薬剤の識別情報を認識する認識部と、
前記画像中に異常があるか否かを判別する判別部と、
前記判別部が前記画像中に異常があると判別すると、前記画像中の異常がある部分を識別する識別マークと前記画像とから作成されるエラー画像を表示する表示部とを有することを特徴とする薬剤認識装置。
【請求項２】
前記判別部は、前記画像の個数が複数であるとき、複数薬剤と判別するように構成されていることを特徴とする請求項１に記載の薬剤認識装置。
【請求項３】
前記判別部は、前記画像のピクセル数が所定の閾値以下のとき、異物であると判別するように構成されていることを特徴とする請求項１に記載の薬剤認識装置。
【請求項４】
前記判別部は、前記画像のエッジ輝度が所定の閾値以下のとき、汚れであると判別するように構成されていることを特徴とする請求項１に記載の薬剤認識装置。
【請求項５】
前記判別部は、前記画像の中心を中心点とし該中心点からの距離が最大となる点を通る円の面積に対する前記画像の面積の比で表される真円度が所定の閾値以上であるとき、立ち薬剤であると判別するように構成されていることを特徴とする請求項１に記載の薬剤認識装置。
【請求項６】
前記判別部は、前記画像の少なくとも一部が前記撮影部による撮影領域の内側にある所定の解析領域から外れているとき、範囲外薬剤と判定するように構成されていることを特徴とする請求項１に記載の薬剤認識装置。
【請求項７】
前記表示部は、前記異常に対する対処方法を表示することを特徴とする請求項１から６のいずれかに記載の薬剤認識装置。
【請求項８】
前記表示部は、複数薬剤、異物、汚れ、立ち薬剤、範囲外薬剤の少なくともいずれかを
前記異常の原因として表示することを特徴とする請求項１から７のいずれかに記載の薬剤認識装置。
【請求項９】
前記表示部は、前記薬剤認識装置を再始動するためのリスタートキーを表示することを特徴とする請求項１から８のいずれかに記載の薬剤認識装置。
【請求項１０】
前記リスタートキーが押されても、前記判別部が前記画像中に異常があると判別すると、前記表示部は、前記画像中の異常がある部分を識別する識別マークと前記画像とから作成されるエラー画像を表示するするとともに、前記薬剤載置部の薬剤を取り除く旨の指示内容と対処方法とを表示することを特徴とする請求項９に記載の薬剤認識装置。
【請求項１１】
前記判別部は、前記返品薬払出装置の電源立上げ時に、前記画像中に異物又は返品薬剤があるか否かを判別し、
前記判別部が前記画像中に異物又は返品薬剤があると判別すると、前記画像中の前記異物又は薬剤がある部分を識別する識別マークと前記画像とから作成されるエラー画像を表示するとともに、前記薬剤載置部の薬剤を取り除く旨の指示内容と対処方法とを表示することを特徴とする請求項１から１０のいずれかに記載の薬剤認識装置。
【手続補正２】
【補正対象書類名】明細書
【補正対象項目名】００１０
【補正方法】変更
【補正の内容】
【００１０】
前記課題を解決するための手段として、本発明は、
薬剤の識別情報を認識する薬剤認識装置において、
前記薬剤を載置する薬剤載置部と、
前記薬剤載置部に載置された薬剤を撮影する撮影部と、
前記撮影部で撮影された薬剤の画像に基づいて薬剤の識別情報を認識する認識部と、
前記画像中に異常があるか否かを判別する判別部と、
前記判別部が前記画像中に異常があると判別すると、前記画像中の異常がある部分を識別する識別マークと前記画像とから作成されるエラー画像を表示する表示部とを有する。
【手続補正３】
【補正対象書類名】明細書
【補正対象項目名】００１２
【補正方法】変更
【補正の内容】
【００１２】
前記判別部は、前記画像の個数が複数であるとき、複数薬剤と判別するように構成されていることが好ましい。
【手続補正４】
【補正対象書類名】明細書
【補正対象項目名】００１３
【補正方法】変更
【補正の内容】
【００１３】
前記判別部は、前記画像のピクセル数が所定の閾値以下のとき、異物であると判別するように構成されていることが好ましい。
【手続補正５】
【補正対象書類名】明細書
【補正対象項目名】００１４
【補正方法】変更
【補正の内容】
【００１４】
前記判別部は、前記画像のエッジ輝度が所定の閾値以下のとき、汚れであると判別するように構成されていることが好ましい。
【手続補正６】
【補正対象書類名】明細書
【補正対象項目名】００１５
【補正方法】変更
【補正の内容】
【００１５】
前記判別部は、前記画像の中心を中心点とし該中心点からの距離が最大となる点を通る円の面積に対する前記画像の面積の比で表される真円度が所定の閾値以上であるとき、立ち薬剤であると判別するように構成されていることが好ましい。
【手続補正７】
【補正対象書類名】明細書
【補正対象項目名】００２０
【補正方法】変更
【補正の内容】
【００２０】
前記リスタートキーが押されても、前記判別部が前記画像中に異常があると判別すると、前記表示部は、前記画像中の異常がある部分を識別する識別マークと前記画像とから作成されるエラー画像を表示するするとともに、前記薬剤載置部の薬剤を取り除く旨の指示内容と対処方法とを表示することが好ましい。異常の原因を除去する対処が不十分のままリスタートキーが押されれば、異常の内容を表示するよりも、いち早く薬剤を取り除くよう指示されるので、迅速に再始動が行える。
【手続補正８】
【補正対象書類名】明細書
【補正対象項目名】００２１
【補正方法】変更
【補正の内容】
【００２１】
前記判別部は、前記返品薬払出装置の電源立上げ時に、前記画像中に異物又は返品薬剤があるか否かを判別し、
前記判別部が前記画像中に異物又は返品薬剤があると判別すると、前記画像中の前記異物又は薬剤がある部分を識別する識別マークと前記画像とから作成されるエラー画像を表示するとともに、前記薬剤載置部の薬剤を取り除く旨の指示内容と対処方法とを表示することが好ましい。
停電により電源が落ちたとき、処理中の返品薬剤が認識部に残っている場合があるが、停電が復旧して電源が立ち上がったとき、認識部に残っている返品薬剤を除去するよう促すことで、正常に動作を開始することができる。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
導電体層、一対の電極、および、ナノワイヤを含むナノワイヤデバイスであって、
前記ナノワイヤは前記導電体層上に形成され、且つ、前記ナノワイヤの一端が前記導電体層表面に接するように形成され、
前記一対の電極は、前記導電体層に接するように形成されている、
ナノワイヤデバイス。
【請求項２】
導電体層、一対の電極、および、ナノワイヤを含むナノワイヤデバイスであって、
前記ナノワイヤ（ただし、銀と銀以外の少なくとも１種の金属を含有する金属ナノワイヤであって、銀以外の少なくとも１種の金属は銀の表面にめっきされているナノワイヤは除く。）は、前記導電体層上に形成され、
前記一対の電極は、前記導電体層に接するように形成されている、
ナノワイヤデバイス。
【請求項３】
電気絶縁性基板を更に含み、
該電気絶縁性基板上に、前記導電体層の少なくとも一部が積層されている、
請求項１または２に記載のナノワイヤデバイス。
【請求項４】
前記導電体層が、前記電気絶縁性基板上に積層され、
前記一対の電極が、前記導電体層の上に形成されている、
請求項３に記載のナノワイヤデバイス。
【請求項５】
前記一対の電極が前記電気絶縁性基板上に形成され、
前記導電体層の一部が前記一対の電極の上に積層され、前記導電体層の他の部分が前記電気絶縁性基板上に積層されている、
請求項３に記載のナノワイヤデバイス。
【請求項６】
前記ナノワイヤが、捕捉対象サンプルを特異的に認識するペプチド及び／又は核酸で修飾されている、
請求項１〜５の何れか一項に記載のナノワイヤデバイス。
【請求項７】
電気絶縁性基板、
該電気絶縁性基板上に、少なくとも一部が積層された導電体層、
該導電体層上に形成されたナノワイヤ、及び、
前記導電体層に接するように形成された一対の電極、
を含み、
前記ナノワイヤが、捕捉対象サンプルを特異的に認識するペプチド及び／又は核酸で修飾されている、
ナノワイヤデバイス。
【請求項８】
前記ペプチドが、加熱によりナノワイヤから離脱するペプチドである、
請求項６に記載のナノワイヤデバイス。
【請求項９】
前記ペプチドが、加熱によりナノワイヤから離脱するペプチドである、
請求項７に記載のナノワイヤデバイス。
【請求項１０】
請求項１〜６、８の何れか一項に記載のナノワイヤデバイス、
分析部、
を含む分析装置。
【請求項１１】
請求項７または９に記載のナノワイヤデバイス、
分析部、
を含む分析装置。
【請求項１２】
請求項１〜６の何れか一項に記載のナノワイヤデバイスと、サンプルが含まれる溶液とを接触させるサンプル接触工程、
前記ナノワイヤデバイスの一対の電極に通電することで、導電体層を介してナノワイヤを加熱するナノワイヤ加熱工程、
加熱したナノワイヤでサンプルを加熱処理するサンプル加熱処理工程、
を含む、サンプルの加熱処理方法。
【請求項１３】
請求項７に記載のナノワイヤデバイスと、サンプルが含まれる溶液とを接触させるサンプル接触工程、
前記ナノワイヤデバイスの一対の電極に通電することで、導電体層を介してナノワイヤを加熱するナノワイヤ加熱工程、
加熱したナノワイヤでサンプルを加熱処理するサンプル加熱処理工程、
を含む、サンプルの加熱処理方法。
【請求項１４】
請求項８に記載のナノワイヤデバイスと、捕捉対象サンプルが含まれる溶液とを接触させるサンプル捕捉工程、
前記ナノワイヤデバイスの一対の電極に通電することで、導電体層を介してナノワイヤを加熱するナノワイヤ加熱工程、
ナノワイヤを加熱することで、捕捉対象サンプルを捕捉したペプチドをナノワイヤから離脱させるサンプル離脱工程、
を含む、サンプルの分離方法。
【請求項１５】
請求項９に記載のナノワイヤデバイスと、捕捉対象サンプルが含まれる溶液とを接触させるサンプル捕捉工程、
前記ナノワイヤデバイスの一対の電極に通電することで、導電体層を介してナノワイヤを加熱するナノワイヤ加熱工程、
ナノワイヤを加熱することで、捕捉対象サンプルを捕捉したペプチドをナノワイヤから離脱させるサンプル離脱工程、
を含む、サンプルの分離方法。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
２次元状に配列された複数の画素を有する光電変換装置であって、
前記複数の画素のうち、少なくとも１つの画素は、
第１の電極と、第１の方向で前記第１の電極と対向して配されている第２の電極と、第３の電極とを有する画素電極と、
前記画素電極の上部に設けられた対向電極と、
前記画素電極と前記対向電極とで挟持されるように配された光電変換層と、
前記第１の電極と、前記第２の電極と、前記第３の電極とに対応して設けられた、共通のマイクロレンズと、を有し、
前記第１の方向において、前記第３の電極の幅は、前記第１の電極と前記第２の電極の間の距離よりも小さく、
前記第１の方向に直交する方向である第２の方向において、前記第３の電極の長さは、前記第１の電極の長さおよび前記第２の電極の長さよりも小さいことを特徴とする光電変換装置。
【請求項２】
２次元状に配列された複数の画素を有する光電変換装置であって、
前記複数の画素のうち、少なくとも１つの画素は、
第１の電極と、
第１の方向で前記第１の電極と対向して配されている第２の電極と、
前記第１の電極と前記第２の電極との間に設けられた第３の電極と、
前記第１の電極と、前記第２の電極と、前記第３の電極の上に設けられた光電変換層と、
前記光電変換層の上に設けられた対向電極と、
前記第１の電極と、前記第２の電極と、前記第３の電極とに対応して設けられた、共通のマイクロレンズと、を有し、
前記第１の電極から読み出された第１の信号と、前記第２の電極から読み出された第２の信号とを用いて、位相差検出が行われ、
前記第３の電極から読み出された第３の信号を用いて、撮像が行われることを特徴とする光電変換装置。
【請求項３】
前記第３の信号は、位相差検出に用いられないことを特徴とする請求項２に記載の光電変換装置。
【請求項４】
前記第１の方向において、前記第１の電極および前記第２の電極の幅は、前記第３の電極の幅よりも小さいことを特徴とする請求項１から３のいずれに記載の光電変換装置。
【請求項５】
前記第１の方向における前記第３の電極の幅は、前記第２の方向における前記第１の電極の長さおよび前記第２の電極の長さよりも小さいことを特徴とする請求項１から４のいずれかに記載の光電変換装置。
【請求項６】
前記第１の電極と前記第２の電極は矩形であり、前記第３の電極は円形であることを特徴とする請求項１から５のいずれかに記載の光電変換装置。
【請求項７】
前記第１の電極と前記第２の電極は弧状に湾曲した部分を有し、前記第３の電極は円形であることを特徴とする請求項１から５のいずれかに記載の光電変換装置。
【請求項８】
前記第３の電極の面積は、前記第１の電極の面積と前記第２の電極の面積の和よりも小さいことを特徴する請求項１から７のいずれかに記載の光電変換装置。
【請求項９】
半導体基板と、
第１の方向に沿って複数のマイクロレンズが配されることによって構成されたマイクロレンズ群が、前記第１の方向に直交する第２の方向に沿って複数配されたマイクロレンズアレイと、
前記マイクロレンズアレイと前記半導体基板との間に配された光電変換層を有する光電変換装置であって、
前記半導体基板の上に設けられ、第１の電極と、前記第１の方向で前記第１の電極と対向して配されている第２の電極と、第３の電極とを有する画素電極と、
前記画素電極とともに前記光電変換層を挟持する対向電極とを有し、
前記マイクロレンズは、
第１の端部と、
前記第１の端部に対し、前記マイクロレンズの中心を挟んで前記第１の方向に配された第２の端部と、を有し、
前記第１の電極は前記第１の端部に重なるように配置され、
前記第２の電極は前記第２の端部に重なるように配置され、
前記第３の電極は前記マイクロレンズの中心に重なるように配置されており、
前記第１の方向において、前記第３の電極の幅は、前記第１の電極と前記第２の電極の間の距離よりも小さく、
前記第２の方向において、前記第３の電極の長さは、前記第１の電極の長さおよび前記第２の電極の長さよりも小さいことを特徴とする光電変換装置。
【請求項１０】
移動体であって、
請求項１から９のいずれかに記載の光電変換装置と、
前記光電変換装置からの信号に基づく視差画像から、対象物までの距離情報を取得する距離情報取得手段と、
前記距離情報に基づいて前記移動体を制御する制御手段と、を有することを特徴とする移動体。
【手続補正書】
【提出日】令和1年6月17日(2019.6.17)
【手続補正１】
【補正対象書類名】明細書
【補正対象項目名】００３９
【補正方法】変更
【補正の内容】
【００３９】
図２に示される１次元ルックアップテーブル１２０２は、階調変換前の階調値から階調変換後の階調変換への階調変換が行われる場合の階調変換特性を定義し、１、・・・、１５９、１６０、１６１、・・・、２５５という２５６個の入力階調値１２２２を備え、２５６個の入力階調値にそれぞれ対応する１、・・・、１６４、１６９、１７２、・・・、２５５という２５６個の出力階調値１２２４を備える。入力階調値１２２２の各々は、８ビットのビット列で表現される。出力階調値１２２４の各々は、８ビットのビット列で表現される。２５６個の入力階調値１２２２が、各々が７ビット以下または９ビット以上のビット列で表現される複数の入力階調値に置き換えられてもよい。２５６個の出力階調値１２２４が、各々が７ビット以下または９ビット以上のビット列で表現される複数の出力階調値に置き換えられてもよい。
【手続補正２】
【補正対象書類名】明細書
【補正対象項目名】００８４
【補正方法】変更
【補正の内容】
【００８４】
３  実施の形態３
実施の形態３は、実施の形態１の色補正装置を置き換える色補正装置に関する。
【手続補正３】
【補正対象書類名】明細書
【補正対象項目名】００８５
【補正方法】変更
【補正の内容】
【００８５】
実施の形態１の色補正装置においては、１次元ルックアップテーブルR_LUT,G_LUT,B_LUT,W_LUT(R),W_LUT(G)およびW_LUT(B)にそれぞれ対応する重み係数K_R,K_G,K_B,K_W(R),K_W(G)およびK_W(B)が算出され、６個の１次元ルックアップテーブルにしたがって補正が行われたが、実施の形態３の色補正装置においては、１次元ルックアップテーブルR_LUT,G_LUTおよびB_LUTに対応するひとつの共通の重み係数K_RGBが算出され、１次元ルックアップテーブルW_LUT(R),W_LUT(G)およびW_LUT(B)に対応する共通の重み係数K_Wが算出され、６個の１次元ルックアップテーブルにしたがって補正が行われる。その目的は、重み係数を算出するために要する計算量を削減することにある。
【手続補正４】
【補正対象書類名】明細書
【補正対象項目名】００８７
【補正方法】変更
【補正の内容】
【００８７】
図５に示される色補正装置３０００は、液晶表示装置１０００に組み込まれて色補正部１０６２となり、原色用の補正部３０２２、白用の補正部３０２４、係数算出部３０２６および階調値算出部３０２８を備える。原色用の補正部３０２２は、原色用の階調変換部３０４２を備える。白用の補正部３０２４は、白用の階調変換部３０６２を備える。色補正装置３０００がこれらの構成物以外の構成物を備えてもよい。実施の形態３の色補正装置３０００に備えられる原色用の補正部３０２２、白用の補正部３０２４、原色用の階調変換部３０４２および白用の階調変換部３０６２は、それぞれ実施の形態１の色補正装置１２９０に備えられる原色用の補正部１３０２、白用の補正部１３０４、原色用の階調変換部１３２２および白用の階調変換部１３４２と同様のものである。このため、以下では、係数算出部３０２６および階調値算出部３０２８について専ら説明する。
【手続補正５】
【補正対象書類名】明細書
【補正対象項目名】００９０
【補正方法】変更
【補正の内容】
【００９０】
階調値算出部３０２８は、重み係数K_RGBおよびK_Wがそれぞれ２次階調値R'rおよびR'wに乗じられた重み付け和K_RGB*R'r+K_W*R'wを３次階調値Routにし、重み係数K_RGBおよびK_Wがそれぞれ２次階調値G'gおよびG'wに乗じられた重み付け和K_RGB*G'g+K_W*G'wを３次階調値Goutにし、重み係数K_RGBおよびK_Wがそれぞれ２次階調値B'bおよびB'wに乗じられた重み付け和K_RGB*B'b+K_W*B'wを３次階調値Boutにする。出力信号１３６２に含まれる３次階調値Rout,GoutおよびBoutは、補正後の階調値であり、それぞれＲ、ＧおよびＢの原色量を示す。
【手続補正６】
【補正対象書類名】明細書
【補正対象項目名】００９６
【補正方法】変更
【補正の内容】
【００９６】
K_W =(RGBin_MED+RGBin_MIN)/(RGBin_MAX*2)  (13)
【手続補正７】
【補正対象書類名】明細書
【補正対象項目名】０１０５
【補正方法】変更
【補正の内容】
【０１０５】
また、実施の形態３によれば、実施の形態１より更に少ないリソースでγ特性および色の補正が行われる。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
情報を記憶可能な記憶手段を備え、
所定の開始条件を満たした場合に、特別遊技状態を開始可能とし、
所定の終了条件を満たした場合に、特別遊技状態を終了可能とし、
所定の区間において、遊技者に有利なストップスイッチの操作態様を報知する報知遊技状態へ移行する場合を有し、
前記記憶手段には、報知遊技状態に関する所定の情報を記憶可能とし、
所定の区間における遊技の実行回数が所定回数となる遊技が実行されると、所定の区間を終了するように構成され、
所定の区間における遊技の実行回数が所定回数となる遊技が実行されると、前記記憶手段に記憶されている所定の情報を初期化可能とし、
特別遊技状態中において、所定の区間における遊技の実行回数が所定回数となる遊技が実行されても、所定の区間は終了するように構成され、
特別遊技状態中において、所定の区間における遊技の実行回数が所定回数となる遊技が実行されても、前記記憶手段に記憶されている所定の情報を初期化可能とする
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技機に関する。
【手続補正４】
【補正対象書類名】明細書
【補正対象項目名】０００８
【補正方法】変更
【補正の内容】
【０００８】
ところで、例えば、ボーナスゲームが終了した後にＡＴ遊技が開始され、そのＡＴ遊技が終了した後に比較的短期間のうちにボーナスゲームが開始されるというように、遊技者に有利な状態が繰り返し行われた場合、遊技者に過度な遊技メダルが払い出されることとなり、遊技者の射幸心を過剰に煽ってしまう虞がある。
【手続補正５】
【補正対象書類名】明細書
【補正対象項目名】０００９
【補正方法】変更
【補正の内容】
【０００９】
本発明は、上記問題点に鑑みてなされたものであり、遊技者の射幸心を過剰に煽る虞を避けることができる遊技機を提供することを目的としている。
【手続補正６】
【補正対象書類名】明細書
【補正対象項目名】００１０
【補正方法】変更
【補正の内容】
【００１０】
上述した課題を解決するために、本発明は、
情報を記憶可能な記憶手段を備え、
所定の開始条件を満たした場合に、特別遊技状態を開始可能とし、
所定の終了条件を満たした場合に、特別遊技状態を終了可能とし、
所定の区間において、遊技者に有利なストップスイッチの操作態様を報知する報知遊技状態へ移行する場合を有し、
前記記憶手段には、報知遊技状態に関する所定の情報を記憶可能とし、
所定の区間における遊技の実行回数が所定回数となる遊技が実行されると、所定の区間を終了するように構成され、
所定の区間における遊技の実行回数が所定回数となる遊技が実行されると、前記記憶手段に記憶されている所定の情報を初期化可能とし、
特別遊技状態中において、所定の区間における遊技の実行回数が所定回数となる遊技が実行されても、所定の区間は終了するように構成され、
特別遊技状態中において、所定の区間における遊技の実行回数が所定回数となる遊技が実行されても、前記記憶手段に記憶されている所定の情報を初期化可能とする
ことを特徴とする。
【手続補正７】
【補正対象書類名】明細書
【補正対象項目名】００１２
【補正方法】変更
【補正の内容】
【００１２】
上述した発明によれば、遊技者に有利なストップスイッチの操作態様が報知される報知遊技状態へ移行可能な所定の区間において、遊技の実行回数が所定回数になると、たとえ特別遊技状態中であったとしても、記憶手段に記憶されている報知遊技状態に関する所定の情報が初期化可能となり、かつ、所定の区間が終了するため、遊技者の射幸心を過剰に煽る虞を避ける遊技者に対して遊技メダルが過度に払い出されてしまうのを防止することができる。
【手続補正８】
【補正対象書類名】明細書
【補正対象項目名】００１３
【補正方法】変更
【補正の内容】
【００１３】
以上のように、本発明の遊技機によれば、遊技者の射幸心を過剰に煽る虞を避けることができる。
【手続補正９】
【補正対象書類名】明細書
【補正対象項目名】０５９９
【補正方法】変更
【補正の内容】
【０５９９】
なお、有利区間計数手段により、所定のゲーム数（１５００ゲーム）に達したと判断されたときに、遊技状態がＢＢ遊技中であった場合には、実行中のＢＢ遊技を、ＢＢの終了条件が満たされるまで継続する。そして、ＢＢ遊技が終了した後に、遊技状態を通常時（非ＡＴ状態）にする。もちろん、ＢＢ遊技中に所定のゲーム数（１５００ゲーム）に達したときは、その遊技においてＲＷＭに記憶されている各種データのうち、ＡＴに関するデータを初期値に設定し直す（初期化）ようにすることもできるし、ＢＢ遊技が終了した後に、ＲＷＭに記憶されている各種データのうち、ＡＴに関するデータを初期値に設定し直す（初期化する）ようにすることもできる。このような処理は、換言すると、電源断復帰や、設定変更処理（設定キースイッチがオンの状況下で電源をオフからオンにすること）にかかわらず、ＲＷＭの所定の記憶領域を初期化することができる、ともいえる。
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
高周波磁場を発生させるＲＦコイルに、撮像シーケンスに基づいてＲＦパルスを供給する増幅器と、
前記増幅器に電力を供給するキャパシタバンクと、
前記撮像シーケンスにおけるＲＦパルスの条件と前記増幅器の出力効率とに基づいて、前記撮像シーケンスによる撮像の実行の可否を判定する判定部と、
を備える磁気共鳴イメージング装置。
【請求項２】
前記ＲＦパルスの条件と前記出力効率とに基づいて、前記キャパシタバンクにおける電圧降下を取得する取得部をさらに具備し、
前記判定部は、前記電圧降下に基づいて、前記撮像の実行の可否を判定する、
請求項１に記載の磁気共鳴イメージング装置。
【請求項３】
前記取得部は、前記出力効率に基づいて前記増幅器における熱損失量を取得し、
前記判定部は、前記熱損失量と前記電圧降下とに基づいて前記撮像の実行可否を判定する、
請求項２に記載の磁気共鳴イメージング装置。
【請求項４】
前記ＲＦパルスの条件は、前記ＲＦコイルに供給されるパワーのレベルを示すＲＦレベルであって、
前記ＲＦコイルを介して被検体に対して送受信された高周波磁場に基づいて、前記ＲＦレベルを決定するＲＦレベル決定部をさらに具備する、
請求項２に記載の磁気共鳴イメージング装置。
【請求項５】
前記取得部は、前記撮像シーケンスによる前記キャパシタバンクの充放電特性に基づいて、前記電圧降下を計算する、
請求項２乃至４のうちいずれか一項に記載の磁気共鳴イメージング装置。
【請求項６】
前記キャパシタバンクに設けられた分圧回路における分圧電圧を計測する電圧計測器をさらに具備し、
前記取得部は、前記撮像シーケンスの一部の実行において計測された前記分圧電圧に基づいて、前記電圧降下を計算する、
請求項２乃至４のうちいずれか一項に記載の磁気共鳴イメージング装置。
【請求項７】
前記判定部は、前記電圧降下が第１閾値以下である場合または前記熱損失量が第２閾値以上である場合、前記撮像シーケンスにおける撮像条件を変更する必要があると判定し、
前記撮像条件を変更する必要があると判定された場合、前記撮像条件を変更する撮像条件変更部と、
前記撮像条件を変更する必要があると判定された場合、前記撮像条件を表示する表示部とをさらに具備する、
請求項３に記載の磁気共鳴イメージング装置。
【請求項８】
前記第１閾値と前記第２閾値とは、前記撮像の実行の可否の判定に関する値である、
請求項７に記載の磁気共鳴イメージング装置。
【請求項９】
前記ＲＦコイルは、複数のチャンネルに対応する複数のコイル素子を有し、
前記増幅器は、前記複数のチャンネルに対応する複数の増幅回路を有し、
前記取得部は、前記増幅回路各々において前記熱損失量と前記電圧降下とを計算し、
前記撮像条件変更部は、前記増幅回路各々に対応する前記熱損失量と前記電圧降下とにおいて、前記第１閾値以下であって前記第１閾値より最も離れた電圧降下と、前記第２閾値未満であって前記第２閾値より最も離れた熱損失量とに基づいて、前記撮像条件を変更する、
請求項７または８に記載の磁気共鳴イメージング装置。
【請求項１０】
前記ＲＦコイルは、複数のチャンネルに対応する複数のコイル素子を有し、
前記増幅器は、前記複数のチャンネルに対応する複数の増幅回路を有し、
前記取得部は、前記増幅回路各々において前記熱損失量を計算し、前記増幅回路に対応する前記電圧降下を同期させて加算することにより電圧降下の合計を計算し、
前記判定部は、前記電圧降下の合計が第１閾値以下である場合または前記熱損失量が第２閾値以上である場合、前記撮像シーケンスにおける撮像条件を変更する必要があると判定し、
前記撮像条件変更部は、前記増幅回路各々に対応する前記熱損失量のうち前記第２閾値未満であって前記第２閾値より最も離れた熱損失量と、前記第１閾値以下の前記電圧降下の合計とに基づいて、前記撮像条件を変更する、
請求項７または８に記載の磁気共鳴イメージング装置。
【請求項１１】
前記取得部は、前記出力効率と前記電圧降下と前記撮像条件とに基づいて、前記撮像シーケンスに関する電力効率を計算し、
前記判定部は、前記撮像シーケンスにおける電力効率が第３閾値未満か否かを判定し、
前記撮像条件変更部は、前記撮像シーケンスにおける電力効率が第３閾値未満である場合、前記撮像シーケンスにおける電力効率に基づいて、撮像条件を変更する、
請求項７乃至１０のうちいずれか一項に記載の磁気共鳴イメージング装置。
【請求項１２】
前記増幅器の外装における外装温度を計測する温度センサをさらに具備し、
前記取得部は、前記撮像シーケンスの一部の実行において計測された前記外装温度を用いて、前記熱損失量を求める、
請求項３および７乃至１１のうちいずれか一項に記載の磁気共鳴イメージング装置。
【手続補正２】
【補正対象書類名】明細書
【補正対象項目名】０００５
【補正方法】変更
【補正の内容】
【０００５】
本実施形態に係る磁気共鳴イメージング装置は、増幅器と、キャパシタバンクと、判定部とを具備する。増幅器は、高周波磁場を発生させるＲＦコイルに、撮像シーケンスに基づいてＲＦパルスを供給する。キャパシタバンクは、前記増幅器に電力を供給する。判定部は、前記撮像シーケンスにおけるＲＦパルスの条件と前記増幅器の出力効率とに基づいて、前記撮像シーケンスによる撮像の実行の可否を判定する。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
遊技可能な遊技領域と、
前記遊技領域よりも手前側、かつ、下側に位置する皿装飾手段と、
前記皿装飾手段の上側に配置され、遊技媒体を貯留可能な第一領域を備える上皿手段と、
前記皿装飾手段の下側に配置され、遊技媒体を貯留可能な第二領域を備える下皿手段と、
前記皿装飾手段に配置され、遊技者が操作可能な操作手段と、を具備し、
前記操作手段の一部は、
前記上皿手段の前面側を装飾する装飾部と前記操作手段が設置される操作手段受け部との間に形成される前記皿装飾手段の内部に配置されており、
前記内部に前記操作手段が配置された状態において前記下皿手段は、前記操作手段と縦方向に重なる位置に配置され、かつ、横方向に重なる位置に配置されており、
さらに前記操作手段の一部は、前記上皿手段の下側に跨るように配置されている
ことを特徴とする遊技機。
【手続補正２】
【補正対象書類名】明細書
【補正対象項目名】０００２
【補正方法】変更
【補正の内容】
【０００２】
パチンコ機等の遊技機は、遊技者の操作によって所定の遊技が行われる遊技領域を有しており、遊技領域内で行われる遊技の進行状況（遊技状態）に応じて、遊技者に所定の演出を提示することで、遊技者を楽しませて飽きさせ難くしている。
【手続補正３】
【補正対象書類名】明細書
【補正対象項目名】０００３
【補正方法】変更
【補正の内容】
【０００３】
この種の遊技機として、遊技領域の下方において前方に膨出している膨出部の上面に、遊技を行うための遊技操作部及び遊技操作部とは別に、遊技者が回転操作可能な操作部を設け、所定の演出として、遊技者が操作部を回転操作することで演出に参加することが可能な遊技者参加型演出を実行するものが提案されている（例えば、特許文献１）。これら特許文献１の技術によれば、遊技者参加型演出が実行された時に、遊技者が遊技操作部または操作部を操作すると、遊技操作部または操作部の操作に応じて演出の内容が変化するため、遊技者を楽しませることができ、遊技者を飽きさせ難くすることができる。
【手続補正４】
【補正対象書類名】明細書
【補正対象項目名】０００４
【補正方法】変更
【補正の内容】
【０００４】
しかしながら、特許文献１のような技術では、操作部が単に膨出部の上面に備えられているだけであるため、設置可能な操作部の大きさには限界があった。
【手続補正５】
【補正対象書類名】明細書
【補正対象項目名】０００５
【補正方法】変更
【補正の内容】
【０００５】
【特許文献１】特開２０１５−０５１１２５号公報
【手続補正６】
【補正対象書類名】明細書
【補正対象項目名】０００６
【補正方法】変更
【補正の内容】
【０００６】
そこで、本発明は、上記の実情に鑑み、操作ユニットを設置するスペースを確保し、遊技者に操作部を操作させて遊技者参加型演出を楽しませることが可能な遊技機の提供を課題とする。
【手続補正７】
【補正対象書類名】明細書
【補正対象項目名】０００７
【補正方法】変更
【補正の内容】
【０００７】
上記課題を解決するために、本願発明は、
遊技可能な遊技領域と、
前記遊技領域よりも手前側、かつ、下側に位置する皿装飾手段と、
前記皿装飾手段の上側に配置され、遊技媒体を貯留可能な第一領域を備える上皿手段と、
前記皿装飾手段の下側に配置され、遊技媒体を貯留可能な第二領域を備える下皿手段と、
前記皿装飾手段に配置され、遊技者が操作可能な操作手段と、を具備し、
前記操作手段の一部は、
前記上皿手段の前面側を装飾する装飾部と前記操作手段が設置される操作手段受け部との間に形成される前記皿装飾手段の内部に配置されており、
前記内部に前記操作手段が配置された状態において前記下皿手段は、前記操作手段と縦方向に重なる位置に配置され、かつ、横方向に重なる位置に配置されており、
さらに前記操作手段の一部は、前記上皿手段の下側に跨るように配置されている
また、上記発明とは別に以下の手段を採用してもよい。
手段１：遊技機において、
「遊技が行われる遊技領域、及び遊技に関する制御を行うための制御装置を備えている本体枠と、
該本体枠の前面側を前記遊技領域が前方から視認可能な状態で閉鎖していると共に、一方の側辺側を軸芯にして開閉可能に前記本体枠に取付けられており、前記制御装置に接続される被制御装置を備えている扉枠と、
該扉枠又は前記本体枠における前記軸芯から離れている部位において、基端部が前記軸芯と平行な軸周りに回転可能に取付けられていると共に、前記基端部から前記軸芯の方向へ延びている案内部材と、
該案内部材が取付けられている前記本体枠又は前記扉枠における前記基端部よりも前記軸芯から遠ざかった部位から、前記案内部材に保持されて前記軸芯の付近まで延びた後に、前記案内部材が取付けられている前記本体枠又は前記扉枠とは反対側の前記本体枠側又は前記扉枠側へ折返してから前記軸芯より遠ざかる方向へ延びており、前記制御装置と前記被制御装置とを接続している接続ケーブルと
を具備している」ものであることを特徴とする。
【手続補正８】
【補正対象書類名】明細書
【補正対象項目名】０１０１
【補正方法】変更
【補正の内容】
【０１０１】
このように、本発明によれば、操作ユニットを配置するスペースを十分に確保することで今までにない操作部を提供することで遊技者に操作部を操作させて遊技者参加型演出を楽しませることが可能な遊技機を提供することができる。